(57)【要約】【目的】小径木間伐材や製材行程で数多く出てくる短材を利用して、棒状短材の端部や長手方向に、結合に係る加工を施し組み合わせ、格子状構造物、ラック、手摺り、プランターなどの他、物置、ログハウスのような大型の構造物まで、釘や接着剤を使用することなく組み合わせて、短材を有効利用する。【構成】四個の部材の結合に係る正四角形ＡＢＣＤの断面積から、クロスの中心部に設ける正四角形の断面を有する１本の固定用キー材５の断面積を除いた残り断面積の四分の一のスペースを１個の部材の結合に係るスペースとして使い、互いに隣接する部材との間には、結合に係る断面形状部分が四個の部材とも同一形状同一面積になるような係合突部と係合溝６をそれぞれ設けて形成された四個のブロック材を組み合わせ、四角又は丸の断面を有する１本の固定用キー材５をクロスの中心に挿入して、四個のブロック材をクロス状図９に結合固定する装置。【選択図】        図９
2004190465.tif 000002
【特許請求の範囲】
【請求項１】
長手方向と厚み方向と巾方向に所定の長さを有する四個の部材１、２、３、４の断面形状は正方形または長方形で、当該部材の断面で結合する側の辺ＡＢ、ＢＣ、ＣＤ、ＤＡをそれぞれ同じ寸法とし、四個の当該部材の断面で結合する側の辺ＡＢ、ＢＣ、ＣＤ、ＤＡの両角が点Ａ、Ｂ、Ｃ、Ｄで接して互いに向き合うようにクロス状に並べたときに生じる、結合に係る正四角形のスペースＡＢＣＤの断面積から、クロスの中心部に設ける正四角形の断面を有する１本の固定用キー材５の断面積を除いた残り断面積の四分の一のスペースを１個の当該部材の結合に係るスペースとして使い、互いに隣接する部材との間には、結合する側の辺ＡＢ、ＢＣ、ＣＤ、ＤＡに対して、それぞれ平行直角又は平行直角と４５度に加工された、結合に係る係合突部と係合溝６を有する部分ａと結合に係る係合突部ｂを設ける。それに加えて、結合に係る断面形状部分ａ＋ｂが四つの部分とも同一形状同一面積として、これらの条件を満たした結合に係る断面形状部分ａ＋ｂを、四個の当該部材１，２，３，４の結合する側の辺ＡＢ、ＢＣ、ＣＤ、ＤＡにそれぞれ付加し、一体形状のブロック材１＋ａ＋ｂ、２＋ａ＋ｂ、３＋ａ＋ｂ、４＋ａ＋ｂとする。この付加一体形状とされた、結合に係る断面形状部分ａ＋ｂが同一形状で同一面積の四個のブロック材を組み合わせ、四角又は丸の断面を有する１本の固定用キー材５をクロスの中心に挿入し結合固定する、四個のブロック材をクロス状に結合する装置、図１、図２、図３、図９。
【発明の詳細な説明】
【０００１】
【発明が解決しようとする課題】
従来、部材をクロス状に結合する方法には、小は障子の桟、大はログハウスに見られるように、２個の部材で相手方の部材断面の一部をお互いに切り欠き、はめ合わせる方法が一般的で、格子状に組み合わせた場合、組みあがり寸法は部材の長さに制約され、小径木間伐材（曲がりが多く長いものが取りにくい）や製材工程でたくさん出てくる短材は利用できないと云う問題点を有していた。
また柱材としては強度不足の細くて短い部材を結合し、強度のある柱材として使用するには、接着剤で接着する方法しかなく、接着設備機械のない現場では簡単に小径木間伐材や短材を柱材として利用できないと云う問題も有している。
【０００２】
【課題を解決するための手段】
本考案は、小径木間伐材や製材工程でたくさん出てくる短材を利用して、四個の部材の結合する側の両端に、それぞれ同一形状の結合に係る加工を付加して組み合わせ、１本のキー材で固定し、格子状の工作物を無限の広がりを持って製作できるとともに、棒状短材（５０〜１００Ｃｍ）を長手方向に、それぞれ同一形状の結合に係る加工を付加して、断面がクロス状の長尺の柱材が接着剤なしで製作できる方法です。それを図面について説明すれば、長手方向と厚み方向と巾方向に所定の長さを有する四個の部材１，２，３，４の断面形状は正方形または長方形で、当該部材の断面で結合する側の辺ＡＢ、ＢＣ、ＣＤ、ＤＡをそれぞれ同じ寸法とし、四個の当該部材の断面で結合する側の辺ＡＢ、ＢＣ、ＣＤ、ＤＡの両角が点Ａ、Ｂ、Ｃ、Ｄで接して互いに向き合うようにクロス状に並べたときに生じる、結合に係る正四角形のスペースＡＢＣＤの断面積から、クロスの中心部に設ける正四角形の断面を有する１本の固定用キー材５の断面積を除いた残り断面積の四分の一のスペースを１個の当該部材の結合に係るスペースとして使い、互いに隣接する部材との間には、結合する側の辺ＡＢ、ＢＣ、ＣＤ、ＤＡに対して、それぞれ平行直角又は平行直角と４５度に加工された結合に係る係合突部と係合溝６を有する部分ａと結合に係る係合突部ｂを設ける。それに加えて、結合に係る断面形状部分ａ＋ｂが四つの部分とも同一形状同一面積として、これらの条件を満たした結合に係る断面形状部分ａ＋ｂを、四個の当該部材１，２，３，４の結合する側の辺ＡＢ、ＢＣ、ＣＤ、ＤＡにそれぞれ付加し、一体形状のブロック材１＋ａ＋ｂ、２＋ａ＋ｂ、３＋ａ＋ｂ、４＋ａ＋ｂとする。この付加一体形状とされた、結合に係る断面形状部分ａ＋ｂが同一形状で同一面積の四個のブロック材を組み合わせ、四角又は丸の断面を有する１本の固定用キー材５をクロスの中心に挿入して、四個のブロック材をクロス状に結合固定することが出来る、図１、図２、図３、図９。
この結合方法を利用して、結合に係る断面形状部分ａ＋ｂの加工を棒状短材の両端に施したブロック材７を、数多く加工して組み合わせて行けば、小径木間伐材や製材工程でたくさん出てくる短材を有効利用して、格子状の構造物図４を無限の広がりを持って、組み上げることが出来る。
またこの結合方法の結合に係る断面形状部分ａ＋ｂの加工を、棒状短材（約５０〜１００Ｃｍ）の長手方向に施したブロック材８の四本のうち二本を、長さ約二分の一のブロック材９にして組み合わせ、継ぎ目をずらせて、キー材５で固定しあとは二本づつ交互に組み合わせることにより、長尺のクロス状柱材図５が接着剤なしで製作可能となる。
この発明の説明には、小径木間伐材や製材行程でたくさん出てくる短材を例にして説明がなされていますが、他の素材、金属や樹脂などで成形されたブロックを使用すれば、より複雑で強度のある構造物の製作が可能となります。
【０００３】
【発明の効果】
小径木間伐材や製材工程でたくさん出てくる短材を、このクロス状に結合する方法を使用して、棒状短材の両端に結合に係る加工を施した部材７と、棒状短材の長手方向に結合に係る加工を施した部材８，９を組み合わせて使用すれば、格子状の構造物図４は無論のこと、ラック図６、手摺り図７、プランター図８などの他、物置、ログハウスのような大型の構造物まで、釘や接着剤を使用することなく組み合わせることが可能で、短材を有効利用できる。
【図面の簡単な説明】
【図１】四個のブロック材をクロス状に結合した断面図である。
【図２】図１、図３と断面形状の異なる四個のブロック材を、クロス状に結合した断面図である。
【図３】図１、図２と断面形状の異なる四個のブロック材を、クロス状に結合した断面図である。
【図４】棒状短材の結合に係る加工を両端に施したブロック材７を、格子状に組み合わせた正面図である。
【図５】棒状短材の結合に係る加工を長手方向に施したブロック材８、９を、継ぎ目をずらせて組み合わせたクロス状柱材１０の正面図と断面図である。
【図６】クロス状柱材１０と、棒状短材の結合に係る加工を両端に施したブロック材７を、組み合わせたラックの斜視図である。
【図７】クロス状柱材１０と、棒状短材の結合に係る加工を両端に施したブロック材７を、組み合わせた手摺りの正面図である。
【図８】棒状短材の結合に係る加工を両端に施したブロック材７と、棒状短材の結合に係る加工を長手方向に施したブロック材８を、組み合わせたプランターの斜視図である。
【図９】棒状短材の結合に係る加工を両端に施したブロック材７をクロス状に結合した、結合に係る部分の斜視図である。
【符号の説明】
１    正方形または長方形の断面を有する部材。
２    正方形または長方形の断面を有する部材。
３    正方形または長方形の断面を有する部材。
４    正方形または長方形の断面を有する部材。
５    四角または丸の断面を有する固定用キー材。
６    係合突部と係合溝。
７    棒状短材の結合に係る加工を両端に施したブロック材。
８    棒状短材の結合に係る加工を長手方向に施したブロック材。
９    棒状短材の結合に係る加工を長手方向に施したブロック材８の長さを約二分の一にしたブロック材。
１０    棒状短材の結合に係る加工を長手方向に施したブロック材８、９を組み合わせたクロス状柱材。
Ａ    部材１と部材４の結合する側の辺が角で接する点。
Ｂ    部材１と部材２の結合する側の辺が角で接する点。
Ｃ    部材２と部材３の結合する側の辺が角で接する点。
Ｄ    部材３と部材４の結合する側の辺が角で接する点。
ＡＢ  部材１の結合する側の辺。
ＢＣ  部材２の結合する側の辺。
ＣＤ  部材３の結合する側の辺。
ＤＡ  部材４の結合する側の辺。
ＡＢＣＤ    結合に係る正四角形のスペース。
ａ          部材１，２，３，４それぞれの結合に係る係合突部と係合溝６を有する部分。
ｂ          部材１、２，３，４それぞれの結合に係る係合突部。
ａ＋ｂ      部材１、２，３，４それぞれの結合に係る断面形状部分。
１＋ａ＋ｂ  部材１と結合に係る断面形状部分ａ＋ｂを一体形状とした結合に係る断面形状部分が同一形状で同一面積のブロック材。
２＋ａ＋ｂ  部材２と結合に係る断面形状部分ａ＋ｂを一体状とした、結合に係る断面形状部分が同一形状で同一面積のブロック材。
３＋ａ＋ｂ  部材３と結合に係る断面形状部分ａ＋ｂを一体形状とした結合に係る断面形状部分が同一形状で同一面積のブロック材。
４＋ａ＋ｂ  部材４と結合に係る断面形状部分ａ＋ｂを一体形状とした結合に係る断面形状部分が同一形状で同一面積のブロック材。
【図１】
2004190465.tif 000003
【図２】
2004190465.tif 000004
【図３】
2004190465.tif 000005
【図４】
2004190465.tif 000006
【図５】
2004190465.tif 000007
【図６】
2004190465.tif 000008
【図７】
2004190465.tif 000009
【図８】
2004190465.tif 000010
【図９】
2004190465.tif 000011